(57)【特許請求の範囲】
【請求項１】
板状をなす第１フレームと、
板状をなす第２フレームと、
前記第１フレームと前記第２フレームとの間に挟持されている複数の電池と、を備え、
前記第１フレームは、上部に位置付けられている第１上端縁部と、下部に位置付けられている第１下端縁部と、を含み、
前記第１上端縁部は、前記電池側に位置し上方へ突出するように設けられている第１インナー突出片と、前記第１インナー突出片から前記電池とは反対側の方向に離間する位置にて上方へ突出するように設けられている第１アウター突出片と、前記第１インナー突出片及び前記第１アウター突出片の基端よりも下方へ窪んでいる第１窪み部と、を含み、
前記第１下端縁部は、他の第１フレームの前記第１上端縁部に係合する場合に、前記第１インナー突出片と前記第１アウター突出片との間の隙間に対応する位置にて下方へ突出するように設けられ、その隙間に合致する寸法の厚さを有する第１センター突出片と、前記第１窪み部に対応する位置に設けられている第１係合突起と、を含む、電池パック。
【請求項２】
前記第１インナー突出片及び前記第１アウター突出片は、互いに長手方向にずれて配設されており、前記第１センター突出片は、前記第１インナー突出片及び前記第１アウター突出片の両方に接する位置に配設されている、請求項１に記載の電池パック。
【請求項３】
前記第２フレームは、上部に位置付けられている第２上端縁部と、下部に位置付けられている第２下端縁部と、を含み、
前記第２上端縁部は、前記電池側に位置し上方へ突出するように設けられている第２インナー突出片と、前記第２インナー突出片から前記電池とは反対側の方向に離間する位置にて上方へ突出するように設けられている第２アウター突出片と、前記第２インナー突出片及び前記第２アウター突出片の基端よりも下方へ窪んでいる第２窪み部と、を含み、
前記第２下端縁部は、他の第２フレームの前記第２上端縁部に係合する場合に、前記第２インナー突出片と前記第２アウター突出片との間の隙間に対応する位置にて下方へ突出するように設けられ、その隙間に合致する寸法の厚さを有する第２センター突出片と、前記第２窪み部に対応する位置に設けられている第２係合突起と、を含む、請求項１又は２に記載の電池パック。
【請求項４】
前記第２インナー突出片及び前記第２アウター突出片は、互いに長手方向にずれて配置されており、前記第２センター突出片は、前記第２インナー突出片及び前記第２アウター突出片の両方に接する位置に配設されている、請求項３に記載の電池パック。
【発明の詳細な説明】
【技術分野】
【０００１】
本発明は、電池パックに関する。
【背景技術】
【０００２】
電池パックは、多数の電池が並列又は直列に接続され所定の電圧及び容量を出力可能な装置であり、電気機器のバックアップ電源等として広く使用されている。この電池パックにおいて各電池は、ケースに収容されるか、又は、一対のフレームの間に挟持されるような態様で固定されている。このような電池パックは、用途に合わせて複数個組み合わされて電池パックアセンブリとして使用される。この電池パックアセンブリは、例えば、特許文献１に示されるように、複数個の電池パックがスペーサを間に挟んで積み重ねられて形成される。
【先行技術文献】
【特許文献】
【０００３】
【特許文献１】国際公開第２０１２／０７３４１５号
【発明の概要】
【発明が解決しようとする課題】
【０００４】
ところで、特許文献１に代表されるような電池パックアセンブリにおいては、電池パックと電池パックとの間に専用の部品としてのスペーサが配設される。そして、このスペーサは、各電池パックに取り付けられている連結部材にねじ止めされ、所定位置に位置付けられている。このような電池パックアセンブリを製造する場合、部品の点数が多く、ねじ止めの工程も必要なため、製造効率は低くなる。
【０００５】
本発明は、上記の事情に基づいてなされたものであり、その目的とするところは、電池パックアセンブリを形成するにあたり、部品の点数及び組み立て工数の削減が図れる電池パックを提供することにある。
【課題を解決するための手段】
【０００６】
本発明の電池パックは、板状をなす第１フレームと、板状をなす第２フレームと、前記第１フレームと前記第２フレームとの間に挟持されている複数の電池と、を備え、前記第１フレームは、上部に位置付けられている第１上端縁部と、下部に位置付けられている第１下端縁部と、を含み、前記第１上端縁部は、前記電池側に位置し上方へ突出するように設けられている第１インナー突出片と、前記第１インナー突出片から前記電池とは反対側の方向に離間する位置にて上方へ突出するように設けられている第１アウター突出片と、前記第１インナー突出片及び前記第１アウター突出片の基端よりも下方へ窪んでいる第１窪み部と、を含み、前記第１下端縁部は、他の第１フレームの前記第１上端縁部に係合する場合に、前記第１インナー突出片と前記第１アウター突出片との間の隙間に対応する位置にて下方へ突出するように設けられ、その隙間に合致する寸法の厚さを有する第１センター突出片と、前記第１窪み部に対応する位置に設けられている第１係合突起と、を含む。
【０００７】
本発明によれば、電池パックを積み重ねる際に、下側の電池パックにおける第１フレームの第１上端縁部に、上側の電池パックにおける第１フレームの第１下端縁部が係合される。ここで、第１センター突出片は、第１インナー突出片と第１アウター突出片との間の隙間に対応する位置に設けられており、この隙間に合致する寸法の厚さを有していることから、第１上端縁部の第１インナー突出片及び第１アウター突出片の間に嵌合される。また、第１上端縁部の第１窪み部に第１下端縁部の第１係合突起が嵌合される。このため、上側の第１フレームと下側の第１フレームとは、上下方向に離れ難くなるとともに、前後左右方向へずれることが規制される。
【０００８】
また、前記第１インナー突出片及び前記第１アウター突出片は、互いに長手方向にずれて配設されており、前記第１センター突出片は、前記第１インナー突出片及び前記第１アウター突出片の両方に接する位置に配設されている構成とすることが好ましい。
【０００９】
この構成によれば、必要な部分にのみ各突出片を設ければ済むので、第１フレームの原材料を節約でき、電池パックの軽量化と製造コスト削減に寄与する。
【００１０】
また、前記第２フレームは、上部に位置付けられている第２上端縁部と、下部に位置付けられている第２下端縁部と、を含み、前記第２上端縁部は、前記電池側に位置し上方へ突出するように設けられている第２インナー突出片と、前記第２インナー突出片から前記電池とは反対側の方向に離間する位置にて上方へ突出するように設けられている第２アウター突出片と、前記第２インナー突出片及び前記第２アウター突出片の基端よりも下方へ窪んでいる第２窪み部と、を含み、前記第２下端縁部は、他の第２フレームの前記第２上端縁部に係合する場合に、前記第２インナー突出片と前記第２アウター突出片との間の隙間に対応する位置にて下方へ突出するように設けられ、その隙間に合致する寸法の厚さを有する第２センター突出片と、前記第２窪み部に対応する位置に設けられている第２係合突起と、を含む構成とすることが好ましい。
【００１１】
この構成によれば、電池パックを積み重ねる際に、下側の電池パックにおける第２フレームの第２上端縁部に、上側の電池パックにおける第２フレームの第２下端縁部が係合される。ここで、第２センター突出片は、第２インナー突出片と第２アウター突出片との間の隙間に対応する位置に設けられており、この隙間に合致する寸法の厚さを有していることから、第２上端縁部の第２インナー突出片及び第２アウター突出片の間に嵌合される。また、第２上端縁部の第２窪み部に第２下端縁部の第２係合突起が嵌合される。このため、上側の第２フレームと下側の第２フレームとは、上下方向に離れ難くなるとともに、前後左右方向へずれることが規制される。
【００１２】
また、前記第２インナー突出片及び前記第２アウター突出片は、互いに長手方向にずれて配置されており、前記第２センター突出片は、前記第２インナー突出片及び前記第２アウター突出片の両方に接する位置に配設されている構成とすることが好ましい。
【００１３】
この構成によれば、必要な部分にのみ各突出片を設ければ済むので、第２フレームの原材料を節約でき、電池パックの軽量化と製造コスト削減に寄与する。
【００１４】
以上のように、本発明に係る電池パックは、複数個が積み重ねられる場合、専用の部品やねじ止め工程がなくても、安定した状態で積み重ねられる。よって、本発明に係る電池パックを用いれば、簡便に電池パックアセンブリを得ることができる。
【発明の効果】
【００１５】
本発明によれば、電池パックアセンブリを形成するにあたり、部品の点数及び組み立て工数の削減が図れる電池パックを提供することができる。
【図面の簡単な説明】
【００１６】
【図１】本発明の実施形態に係る電池パックアセンブリを示した斜視図である。
【図２】図１の矢印ＩＩ方向に見た電池パックアセンブリの側面を示した側面図である。
【図３】本発明の実施形態に係る電池パックを示した斜視図である。
【図４】図３中の矢印Ａ方向に見た電池パックの側面図である。
【図５】図３中の矢印Ｂ方向に見た電池パックの下面図である。
【図６】図３中の矢印Ｃ方向に見た電池パックの側面図である。
【図７】電池パックから固定板を外した状態を示した斜視図である。
【図８】平面視した上端縁部の一部を拡大して示した概略構成図である。
【図９】平面視した下端縁部の一部を拡大して示した概略構成図である。
【図１０】図３中の矢印Ｄ方向に見た電池パックの上面図である。
【発明を実施するための形態】
【００１７】
以下、本発明に係る電池パック２を適用した電池パックアセンブリ４について、図面を参照して説明する。
【００１８】
図１に示したように、電池パックアセンブリ４は、２個の電池パック２が積み重ねられて形成されている。
【００１９】
この電池パックアセンブリ４は、電気機器内の収容スペースに収容される。通常、収容スペースは、所定面積の床面と、この床面の所定位置に設けられた支柱と、この支柱に取り付けられた押さえ板を含んでいる。そして、電池パックアセンブリ４は、収容スペースの床面に載置され、押さえ板により上から押さえられて固定されている。
【００２０】
なお、電池パックアセンブリ４においては、固定用の部材あるいはリード線等の各種部材（ともに図示せず）を挿通するための部材挿通用孔６２が、図１及び図２に示すように、上側の電池パック２と下側の電池パック２との間の所定位置に設けられている。
【００２１】
次いで、電池パック２の形態について以下に説明する。
電池パック２は、図３に示すように、複数の組電池８が第１フレーム１０及び第２フレーム１２の間に並べられ、これら第１フレーム１０及び第２フレーム１２に挟持されることにより形成されている。
【００２２】
組電池８は、汎用のニッケル水素二次電池（以下、単位電池６という）が２個一組で並列に並べられ一体化されてなる。これら単位電池６は、互いに正極端子側と負極端子側とが逆となるように並べられており、図示しないリードにより、一方の単位電池６の負極端子と他方の単位電池６の正極端子とが電気的に直列に接続されている。更に、各組電池８は、図示しないリードによりそれぞれ電気的に直列に接続されている。このような組電池８は、１８個準備され、組電池８の集合体とされている。このとき、各組電池８は、図３から明らかなように、電池パック２の長手方向である矢印ａ方向に僅かに傾いた状態で並べられている。そして、これら組電池８は、第１フレーム１０及び第２フレーム１２により挟まれて保持されている。
【００２３】
第１フレーム１０は、図３において、組電池８の集合体の左側に位置している。この第１フレーム１０は、樹脂製の板状体であり、図３における矢印Ａ方向に見た側面図である図４に示されるように、平面視形状が略平行四辺形状をなしている。ここで、図４に表されている面を外面１４とし、この外面１４とは反対側の面であって組電池８側に位置する面を内面１６とする。また、図３において、参照符号２２で示されている第１フレーム１０の上側の端縁部を上端縁部２２とする。そして、この上端縁部２２とは反対側に位置する下側の端縁部、すなわち、図３における矢印Ｂ方向に見た電池パック２の下側を示す図５において参照符号２４で示されている端縁部を下端縁部２４とする。
【００２４】
この第１フレーム１０には、図３から明らかなように、組電池８側の内面１６に断面が略三角形状の押さえ突起１８が所定位置に複数設けられている。この押さえ突起１８は、組電池８と組電池８との間の所定位置に位置付けられ、組電池８と接する部分が組電池８の外周縁の一部に沿う形状をなしており、これら組電池８が電池パック２の上下方向にずれることを抑える働きをなしている。更に、図３から明らかなように、第１フレーム１０の長手方向の両端部には、端部ストッパ２０が形成されている。この端部ストッパ２０は、組電池８の外周縁の一部に沿う形状をなした枠であり、最端部に位置する組電池８が電池パック２の前後方向にずれることを抑える働きをなしている。
【００２５】
また、第１フレーム１０の外面１４の所定位置には、後述する固定板５０と係合する第１固定用突起２６が複数設けられている。詳しくは、図４から明らかなように、第１固定用突起２６は、外面１４の上端縁部２２の直ぐ下の部分であって、電池パック２の一方端２８寄りの部分（図４中の右側）、電池パック２の他方端３０寄りの部分（図４中の左側）及び一方端２８と他方端３０との間の略中間部分の３カ所と、外面１４の下端縁部２４の直ぐ上の部分であって、電池パック２の一方端２８寄りの部分（図４中の右側）、電池パック２の他方端３０寄りの部分（図４中の左側）及び一方端２８と他方端３０との間の略中間部分の３カ所の計６カ所の部分に合計６個設けられている。
【００２６】
第２フレーム１２は、図３において、組電池８の集合体の右側に位置している。この第２フレーム１２は、樹脂製の板状体であり、図３における矢印Ｃ方向から見た側面図である図６に示すように、平面視形状が略平行四辺形状をなしている。ここで、図６に表されている面を外面３４とし、この外面３４とは反対側の面であって組電池８側に位置する面を内面３６とする。また、図３において、参照符号３８で示されている第２フレーム１２の上側の端縁部を上端縁部３８とする。そして、この上端縁部３８とは反対側に位置する下側の端縁部、すなわち、図３における矢印Ｂ方向から電池パック２の下側を見た平面図である図５において参照符号４０で示されている端縁部を下端縁部４０とする。
【００２７】
この第２フレーム１２にも、第１フレーム１０と同様に、押さえ突起４２及び端部ストッパ４４が設けられている。この第２フレーム１２の押さえ突起４２は、第１フレーム１０の押さえ突起１８と同形状をなしており、第１フレーム１０の押さえ突起１８に対向する位置に位置付けられている。また、第２フレーム１２の端部ストッパ４４も、第１フレーム１０の端部ストッパ２０と同形状をなしており、第１フレーム１０の端部ストッパ２０に対向する位置に位置付けられている。
【００２８】
第２フレーム１２の所定位置には、後述する固定板５０と係合する第２固定用突起４６が設けられている。詳しくは、電池パック２の上側における第２固定用突起４６は、図３から明らかなように、電池パック２の一方端２８寄りの部分に位置する押さえ突起４２の上、電池パック２の他方端３０寄りの部分に位置する押さえ突起４２の上及び一方端２８と他方端３０との間の略中間部分に位置する押さえ突起４２の上の３カ所に設けられている。また、電池パック２の下側における第２固定用突起４６は、図５から明らかなように、電池パック２の一方端２８寄りの部分に位置する押さえ突起４２の上、電池パック２の他方端３０寄りの部分に位置する押さえ突起４２の上及び一方端２８と他方端３０との間の略中間部分に位置する押さえ突起４２の上の３カ所に設けられている。第２フレーム１２側の第２固定用突起４６は、第１フレーム１０側の第１固定用突起２６と対応する所定箇所に計６個設けられている。
【００２９】
上記したような第１フレーム１０及び第２フレーム１２は、対向配置されることにより、お互いの押さえ突起１８、４２及び端部ストッパ２０、４４が相対する位置に位置付けられ、これにより、第１フレーム１０の押さえ突起１８及び端部ストッパ２０と、第２フレーム１２の押さえ突起４２及び端部ストッパ４４とは、協働して組電池８の位置決めを行う。
【００３０】
上記したように組電池８が所定位置に位置決めされた第１フレーム１０及び第２フレーム１２は、固定板５０により連結されている。この固定板５０は、図７に示すように、細長い薄板であり、組電池８の長手方向の長さと略同じ長さの本体部５２と、この本体部５２の一方の端部がＬ字状に折り曲げられてなる折曲げ端部５４とを有している。この折曲げ端部５４及び本体部５２の他方の端部５６には、長孔が設けられている。ここで、折曲げ端部５４に位置する長孔を第１長孔５８、本体部５２の他方の端部５６に位置する長孔を第２長孔６０とする。
【００３１】
固定板５０は、図３に示すように、電池パック２の上部における３カ所の所定位置にて、第１フレーム１０と第２フレーム１２との間に掛け渡される。また、固定板５０は、図５に示すように、電池パック２の下部における３カ所の所定位置にて第１フレーム１０と第２フレーム１２との間に掛け渡される。そして、各固定板５０においては、折曲げ端部５４の第１長孔５８が第１フレーム１０の外面１４に設けられた第１固定用突起２６にそれぞれ係合され（図４参照）、本体部５２の第２長孔６０が第２フレーム１２の第２固定用突起４６にそれぞれ係合される（図３、図５参照）。これにより、第１フレーム１０と第２フレーム１２とは、互いに近付く方向に引き寄せられ、組電池８を挟持する。その結果電池パック２が形成される。
【００３２】
このようにして形成される電池パック２は、積み重ねられて電池パックアセンブリ４とされる。本発明に係る電池パック２においては、専用部品を用いることなく、下側の電池パック２の第１フレーム１０の上端縁部２２と、上側の電池パック２の第１フレーム１０の下端縁部２４とを係合させるとともに、下側の電池パック２の第２フレーム１２の上端縁部３８と、上側の電池パック２の第２フレーム１２の下端縁部４０とを係合させることができる。これら第１フレーム１０及び第２フレーム１２の上端縁部２２、３８及び下端縁部２４、４０の構造について、以下に説明する。なお、第１フレーム１０における上端縁部２２及び下端縁部２４の構造と、第２フレーム１２における上端縁部３８及び下端縁部４０の構造とは、左右対称であるので、対応する部位に同じ参照符号を付すことにより、第１フレーム１０についての説明のみ行い、第２フレーム１２についての説明は省略する。
【００３３】
まず、上端縁部２２の基本的な構成について、平面視した上端縁部２２の一部を拡大して示した概略構成図である図８をもとに説明する。図８において、矢印ｂで示される方向が第１フレーム１０の長手方向であり、矢印ｃで示される方向に組電池８が存在し、矢印ｄで示される方向が電池パック２の外側である。
【００３４】
第１フレーム１０の上端縁部２２は、所定の幅Ｖを持って第１フレーム１０の長手方向に沿って延びている。ここで、この上端縁部２２においては、その幅Ｖを３つに分け、その分けられた幅で長手方向に延びる３つのエリアを想定する。
【００３５】
第１のエリアｖ１は、第１フレーム１０の外面１４側に位置付けられている。第２のエリアｖ２は、第１のエリアｖ１の隣に位置付けられている。第３のエリアｖ３は、第２のエリアｖ２の隣に位置付けられている。ここで、第３のエリアｖ３は、この第２のエリアｖ２の幅に相当する距離だけ第１のエリアｖ１から離れている。
【００３６】
第１のエリアｖ１においては、上端縁部２２の基端面７０から突出するアウター突出片７２が、矢印ｂ方向に所定長さの範囲で設けられている。
【００３７】
第３のエリアｖ３においては、上端縁部２２の基端面７０よりも突出しているインナー突出片７４が、矢印ｂ方向に所定長さの範囲で設けられている。上端縁部２２においては、第２のエリアｖ２には突出片は形成されない。
以上より、アウター突出片７２とインナー突出片７４との間には、第２のエリアｖ２の幅の分だけの隙間が存在する。つまり、アウター突出片７２は、第２のエリアｖ２の幅の分だけインナー突出片７４から離間された位置に設けられている。
【００３８】
ここで、アウター突出片７２及びインナー突出片７４の矢印ｂ方向の長さは、任意に決定することができる。インナー突出片７４及びアウター突出片７２は、上端縁部２２の長手方向の全域にわたって存在するように設けても構わない。しかしながら、原材料の節約等の理由から、必要な箇所にのみアウター突出片７２及びインナー突出片７４を形成するために、図８に示すように、互いに長手方向にずれた状態となるように、矢印ｂ方向の長さを調整することが好ましい。
【００３９】
また、上端縁部２２には、アウター突出片７２及びインナー突出片７４の基端となる基端面７０よりも窪んでいる窪み部７６が設けられている。窪み部７６は、図８から明らかなように、第１のエリアｖ１及び第２のエリアｖ２にわたって形成され、外面１４側が開放されているアウター窪み部７８と、第２のエリアｖ２にのみ形成され、内面１６側が開放されているインナー窪み部８０とが存在している。
【００４０】
次に、下端縁部２４の基本的な構成について、平面視した下端縁部２４の一部を拡大して示した概略構成図である図９をもとに説明する。図９において、矢印ｂで示される方向が第１フレームの長手方向であり、矢印ｃで示される方向に組電池８が存在し、矢印ｄで示される方向が電池パック２の外側である。
【００４１】
第１フレーム１０の下端縁部２４は、所定の幅Ｗを持って第１フレーム１０の長手方向に沿って延びている。この下端縁部２４においても、その幅Ｗを３つに分け、その分けられた幅で長手方向に延びる３つのエリアを想定する。
【００４２】
第１のエリアｗ１は、第１フレーム１０の外面１４側に位置付けられている。第２のエリアｗ２は、第１のエリアｗ１の隣に位置付けられている。第３のエリアｗ３は、第２のエリアｗ２の隣に位置付けられている。
【００４３】
これら下端縁部２４における第１のエリアｗ１、第２のエリアｗ２及び第３のエリアｗ３のそれぞれの幅の長さは、図８に示した上端縁部２２における第１のエリアｖ１、第２のエリアｖ２及び第３のエリアｖ３のそれぞれの幅の長さと同じである。
【００４４】
下端縁部２４においては、第１のエリアｗ１及び第３のエリアｗ３に突出片は存在していない。
【００４５】
第２のエリアｗ２においては、下端縁部２４の基端面８２から突出するセンター突出片８４が、矢印ｂ方向に所定長さの範囲で設けられている。
【００４６】
上記のように、センター突出片８４の厚さの寸法に相当する下端縁部２４における第２のエリアｗ２の幅の長さと、上記したインナー突出片７４とアウター突出片７２との間の幅方向の長さに相当する上端縁部２２における第２のエリアｖ２の幅の長さとは、同じである。このため、センター突出片８４は、インナー突出片７４とアウター突出片７２との間の隙間の寸法に合致する厚さ寸法を有している。
【００４７】
センター突出片８４の矢印ｂ方向の長さは、任意に決定することができる。ここで、下端縁部２４と上端縁部２２とが組み合わされた場合、センター突出片８４は、インナー突出片７４及びアウター突出片７２の両方に接することができるように矢印ｂ方向の長さを調整することが好ましい。
【００４８】
また、下端縁部２４には、上端縁部２２と組み合わされた場合に、窪み部７６に係合される係合突起８６が設けられている。係合突起８６は、図９から明らかなように、第１のエリアｗ１及び第２のエリアｗ２にわたって形成されているアウター係合突起８８と、第２のエリアｗ２及び第３のエリアｗ３にわたって形成されているインナー係合突起９０とが存在している。
【００４９】
ここで、ある電池パック２に係る図８の第１フレームの上端縁部２２と、他の電池パックに係る図９の第１フレーム１０の下端縁部２４とを係合させると、センター突出片８４がアウター突出片７２及びインナー突出片７４の間に嵌合される。また、アウター窪み部７８にアウター係合突起８８が係合され、インナー窪み部８０にインナー係合突起９０が係合される。
【００５０】
本実施形態の電池パック２では、上記したような基本的な構成が複数箇所で適用されている。以下に具体的に説明する。
【００５１】
図３における矢印Ｄ方向から電池パック２の上側を見た平面図である図１０において、一方端２８の側を電池パック２の前側とし、他方端３０の側を電池パック２の後側とする。そして、前側の固定板５０と中間部分の固定板５０との間を前半部エリアＦとし、中間部分の固定板５０と後ろ側の固定板５０との間を後半部エリアＧとする。更に、前半部エリアＦを３つのエリアに分け、前側から順に前側第１エリアｆ１、前側第２エリアｆ２及び前側第３エリアｆ３とするとともに、後半部エリアＧを３つのエリアに分け、前側から順に後側第１エリアｇ１、後側第２エリアｇ２及び後側第３エリアｇ３とする。
【００５２】
図１０から明らかなように、前側第１エリアｆ１、前側第３エリアｆ３及び後側第２エリアｇ２における上端縁部２２の第１のエリアｖ１においては、アウター突出片７２がそれぞれ設けられている。なお、前側第１エリアｆ１及び後側第２エリアｇ２のアウター突出片７２は、部材挿通用孔６２が形成される予定の箇所である孔形成予定箇所６４の部分にて切り欠かれている。
【００５３】
また、図１０から明らかなように、前側第１エリアｆ１及び前側第３エリアｆ３における上端縁部２２の第２のエリアｖ２においては、インナー窪み部８０がそれぞれ設けられている。更に、後側第１エリアｇ１及び後側第３エリアｇ３における上端縁部２２の第１のエリアｖ１及び第２のエリアｖ２においては、アウター窪み部７８がそれぞれ設けられている。ここで、インナー窪み部８０は、第１フレーム１０の内面１６側が開口している。また、アウター窪み部７８は、第１フレーム１０の外面１４側が開口している。
【００５４】
また、図１０から明らかなように、前側第２エリアｆ２、後側第１エリアｇ１及び後側第３エリアｇ３における上端縁部２２の第３のエリアｖ３においては、インナー突出片７４がそれぞれ設けられている。なお、前側第２エリアｆ２及び後側第３エリアｇ３のインナー突出片７４は、部材挿通用孔６２が形成される予定の箇所である孔形成予定箇所６４の部分にて切り欠かれている。
【００５５】
以上より、第１フレームの上端縁部２２においては、アウター突出片７２とインナー突出片７４とが、第２のエリアｖ２の幅と略同じ間隔をあけて互い違いに設けられているとともに、所定の位置にアウター窪み部７８及びインナー窪み部８０が設けられている。
【００５６】
次に、第１フレーム１０の下端縁部２４の構成について説明する。まず、電池パック２の下側を示した図５において、一方端２８の側を電池パック２の前側とし、他方端３０の側を電池パック２の後側とする。そして、前側の固定板５０と中間部分の固定板５０との間を前半部エリアＨとし、中間部分の固定板５０と後ろ側の固定板５０との間を後半部エリアＩとする。
【００５７】
この図５から明らかなように、前半部エリアＨ及び後半部エリアＩの略全域にわたる下端縁部２４における第２のエリアｗ２においては、センター突出片８４が設けられている。なお、このセンター突出片８４は、部材挿通用孔６２が形成される予定の箇所である孔形成予定箇所６４の部分にて部分的に切り欠かれている。
【００５８】
また、前半部エリアＨにおける第１フレーム１０の下端縁部２４の第２のエリアｗ２及び第３のエリアｗ３には、インナー係合突起９０が設けられている。
【００５９】
更に、後半部エリアＩにおける第１フレーム１０の下端縁部２４の第１のエリアｗ１及び第２のエリアｗ２には、アウター係合突起８８が設けられている。
【００６０】
これらアウター係合突起８８及びインナー係合突起９０は、図４から明らかなように、センター突出片８４の先端部よりも下方へ突出しており、その下端面には、凸部８９が２個ずつ設けられている。
【００６１】
また、これらアウター係合突起８８及びインナー係合突起９０については、一方の第１フレーム１０の上端縁部２２の上に他方の第１フレームの下端縁部２４が重ねられた場合に、アウター係合突起８８はアウター窪み部７８に対応する位置に、インナー係合突起９０はインナー窪み部８０に対応する位置に、それぞれ位置付けられている。
【００６２】
第１フレーム１０においては、上記したような構造の上端縁部２２と下端縁部２４とを有することから、電池パック２を２個準備し、これら２個の電池パック２を上下に重ねた場合、下側の電池パック２における第１フレーム１０の上端縁部２２と上側の電池パック２における第１フレーム１０の下端縁部２４とが係合する。このとき、下側の第１フレーム１０の上端縁部２２において互い違いに存在するアウター突出片７２とインナー突出片７４との間に、上側の第１フレーム１０の下端縁部２４のセンター突出片８４が嵌合され、センター突出片８４は、アウター突出片７２及びインナー突出片７４により挟持される。このため、上側の第１フレーム１０と下側の第１フレーム１０は、上下方向に離れ難くなる。また、下側の第１フレーム１０の上端縁部２２におけるアウター窪み部７８に上側の第１フレームの下端縁部２４におけるアウター係合突起８８が嵌合され、下側の第１フレーム１０の上端縁部２２におけるインナー窪み部８０に上側の第１フレームの下端縁部２４におけるインナー係合突起９０が嵌合される。このため、上側の第１フレームと下側の第１フレームとが電池パック２の前後左右方向へずれることは規制される。
【００６３】
第２フレーム１２は、第１フレーム１０と左右対称の構造を有することから、上側の第２フレーム１２と下側の第２フレーム１２とは、第１のフレームの場合と同様に嵌合されるので、上下方向に離れ難くなるとともに、上側の第２フレーム１２と下側の第２フレーム１２とが電池パック２の前後左右方向へずれることは規制される。
【００６４】
以上のような構造を有する第１フレーム１０及び第２フレーム１２を有する電池パック２は、専用の部品を要せず、ねじ止めをすることもなく、複数個を安定した状態で積み重ねることができ、簡便に電池パックアセンブリ４を得ることができる。
【００６５】
得られた電池パックアセンブリ４は、電気機器内の収容スペースに収容される。そして、収容スペースの床面に設けられた支柱に取り付けられた押さえ板により、電池パックアセンブリ４は上から押さえられて固定される。このようにして、電池パックアセンブリ４は、電気機器内に収容される。
【００６６】
本発明の電池パック２は、簡単に積層することができるので、電池パックアセンブリ４の製造が容易となり、しかも、電池パックアセンブリ４の製造に必要な部品の点数を削減することができるため、電池パックアセンブリの製造効率の向上に貢献する。
【００６７】
ここで、電気機器の収容スペースの床面積をより大きく確保できる場合は、電池パック２はより多く搭載することができる。例えば、収容スペースが、幅４４８ｍｍ、奥行き４６０ｍｍ、高さ８８.１ｍｍの場合、電池パック２を２段に積層させた電池パックアセンブリ４を６個搭載することができる。
【００６８】
本発明の場合、容易に電池パック２を２段に重ねることができるので、１段の場合に比べ２倍の容量の電源を容易に構成することができる。
【００６９】
また、本実施形態では、２つの電池パック２、２を二段に重ねる態様について説明したが、本発明はこの態様に限定されるものではない。本発明に係る電池パック２は、二段以上の多段積層することにも対応することができる。
【符号の説明】
【００７０】
２                          電池パック
４                          電池パックアセンブリ
６                          単位電池
８                          組電池
１０                        第１フレーム
１２                        第２フレーム
２２                        上端縁部
２４                        下端縁部
３８                        上端縁部
４０                        下端縁部
７２                        アウター突出片
７４                        インナー突出片
７８                        アウター窪み部
８０                        インナー窪み部
８４                        センター突出片
８８                        アウター係合突起
９０                        インナー係合突起
【図１】
0006383318.tif 000002
【図２】
0006383318.tif 000003
【図３】
0006383318.tif 000004
【図４】
0006383318.tif 000005
【図５】
0006383318.tif 000006
【図６】
0006383318.tif 000007
【図７】
0006383318.tif 000008
【図８】
0006383318.tif 000009
【図９】
0006383318.tif 000010
【図１０】
0006383318.tif 000011